(57)【要約】【課題】  石突きと元竿の結合を容易に行う。【解決手段】  元竿２の竿尻端部に形成すべきネジ部２ａと石突き３の接合ロッド部３Ｂに形成すべきネジ部３ｃとを一体形成し、両ネジ部２ａ、３ｃを元竿部分と石突き部分とに切断分離して、一方の切断された部分を元竿２の竿尻端部に、他方の切断された部分を石突き３の竿先端部に装着して、石突き３を元竿２に装着した状態で両ネジ部２ａ、３ｃに跨るナット部材５で螺着してある。【選択図】        図３
2006223148.tif 000002
【特許請求の範囲】
【請求項１】
元竿の竿尻端にネジ部を形成するとともに、石突きの竿先側端部にネジ部を形成し、両ネジ部に跨って外嵌されるナット部材によって、前記元竿に前記石突きを着脱自在に取り付けている釣り竿。
【請求項２】
前記石突きのネジ部形成位置よりさらに先端側に、前記元竿の竿尻端内に嵌合する内嵌部を形成し、前記内嵌部とその内嵌部を内嵌している元竿の竿尻端部とに亘って、前記元竿と前記石突きとの周方向での相対回転を阻止する機構を設けてある請求項１記載の釣り竿。
【発明の詳細な説明】
【技術分野】
【０００１】
本発明は、元竿の竿尻端に石突きを装備している釣り竿に関する。
【背景技術】
【０００２】
石突きは、磯釣り時に釣り竿を釣り竿保持具に載置する際に、その釣り竿保持具に溝部を係止することによって釣り竿を安定して保持できるようにする場合に利用されたり、その溝部に形成した縦向き孔に係止紐等を挿通させてその紐両端を釣り人に括りつけて、釣り竿が海中に引き込まれたりすることを阻止する場合に利用される。
このような石突きは、上記した溝部や縦向き孔を形成した石突き本体部（公報番号：２１）とその本体部から竿先側に延出された接続ロッド部（公報番号：２２）とで構成してあり、接続ロッド部を元竿内に嵌入して、接着固定していた（特許文献１参照）。
【０００３】
【特許文献１】特開２００４−１２９５６９号公報（段落番号〔００２４〕〔００３１〕、図２）
【発明の開示】
【発明が解決しようとする課題】
【０００４】
石突きは元竿に接着固定することになるので、メインテナンス時や交換時に取り外し作業が面倒になっていた。
【０００５】
本発明の目的は、石突きのメインテナンス時や交換時の作業性を向上させる点にある。
【課題を解決するための手段】
【０００６】
〔構成〕
請求項１に係る発明の特徴構成は、元竿の竿尻端にネジ部を形成するとともに、石突きの竿先側端部にネジ部を形成し、両ネジ部に跨って外嵌されるナット部材によって、前記元竿に前記石突きを着脱自在に取り付けている点にあり、その作用効果は次の通りである。
【０００７】
〔作用〕
ナット部材に対する操作によって、石突きの元竿に対する着脱操作を容易に行うことができる。
ナット部材を回転させて元竿に石突きを装着するので、元竿や石突き自体を螺合させるために回転させる必要がない。
【０００８】
〔効果〕
石突きの着脱操作が容易になっているので、メインテナンス時や交換時の作業性を向上させることができる。
しかも、石突きを元竿に直接螺合結合させるのではなく、ナット部材を介在させて結合させることにしてあるので、元竿や石突きを回転させる必要がなく、元竿と石突きとの相対姿勢を所定姿勢に設定するのが容易である。
【０００９】
請求項２に係る発明の特徴構成は、請求項１に係る発明において、前記石突きのネジ部形成位置よりさらに先端側に、前記元竿の竿尻端内に嵌合する内嵌部を形成し、前記内嵌部とその内嵌部を内嵌している元竿の竿尻端部とに亘って、前記元竿と前記石突きとの周方向での相対回転を阻止する機構を設けてある点にあり、その作用効果は次の通りである。
【００１０】
〔作用効果〕
つまり、元竿の竿尻端と石突きの先端とに跨るナット部材によって両者を連結するだけでなく、石突きの先端に形成された内嵌部を元竿の竿尻端内に内嵌させているので、ナット部材が跨る元竿の竿尻端が石突き側から延出された内嵌部を内嵌して、この部分が二重構造になっているので機械的強度が向上し、石突きの元竿に対する取付状態が安定するものになる。
しかも、周方向での相対回転を阻止する機構を設けているので、ナット部材を螺合させる際に、元竿と石突きとの相対姿勢が変化することがない。例えば、前記した相対回転阻止機構がない場合には、ナット部材を回転操作する場合に石突き等が伴回りして元竿と石突きとの相対姿勢の変化がおきないように、一方の手で元竿と石突きとを押さえながら、他方の手でナット部材を操作する等の煩雑な操作形態を採る必要があるが、回転阻止機構の働きによってそのような必要はない。
【発明を実施するための最良の形態】
【００１１】
釣り竿Ａの構造について説明する。図１に示すように、リールシート１を備えた元竿２の竿尻端に石突き３を装着して、釣り竿Ａを構成してある。リールシート１は竿先側に配置された可動フード１Ａと竿尻側の固定フード１Ｂとからなっている。
【００１２】
石突き３の構造について説明する。図１及び図３に示すように、石突き３を石突き本体部３Ａとその石突き本体部３Ａより延出された後記する内嵌部としての接合ロッド部３Ｂとでなっている。石突き本体部３Ａは平板状のもので偏平面を上下に向かう姿勢に設定して使用されるものであり、上向き偏平面に左右向きの凹入溝３ａとその凹入溝３ａの中心位置に上下貫通孔３ｂが穿設されている。
【００１３】
石突き３の使用としては、磯での釣りを行う際に、凹入溝３ａの部分を釣り竿支持具（図示せず）に下方から宛がうように係止し石突き３の前方側の元竿部分を釣り竿支持具に上から載置することによって、釣り竿Ａを支持する場合に使用される。また、上下貫通孔３ｂには留め紐を挿通して、この紐を釣り竿支持具や釣り人に係止することによって、釣り竿Ａが海中に引き込まれることを阻止することができるのである。
【００１４】
前記したように、凹入溝３ａは釣り竿支持具に下側からあてがわれるように係止されるものであるので、石突き本体部３Ａの上向き面に形成されるものであり、リールシート１の取付面と方向を同じくするように取り付ける。
【００１５】
次に、石突き３の元竿２への取付構造について説明する。図２に示すように、元竿２の竿尻端の外周面にネジ部２ａを形成するとともに、石突き本体部３Ａの接合ロッド部３Ｂの基端部にネジ部３ｃを形成してある。以上のように構成した石突き３の接合ロッド部３Ｂを元竿２の竿尻端開口から竿内に内嵌すると、図２に示すように、元竿２のネジ部２ａと石突き３のネジ部３ｃとが接合ロッド部３Ｂの軸線方向に沿った状態で隣接配置されることになる。この状態で両ネジ部２ａ、３ｃとに亘ってナット部材５を跨った状態に装着することによって、石突き３を元竿２に取り付けることができる。
【００１６】
元竿２と石突き３との周方向での相対回転を阻止する機構Ｂについて説明する。図２及び図３に示すように、元竿２の竿尻端の内周面に軸線方向に沿ったキー溝状のガイド溝２ｂを形成する。一方、石突き３の接合ロッド部３Ｂの外周面に前記ガイド溝２ｂに嵌合するキー状の突起部３ｄを形成してある。このような構成によって、接合ロッド部３Ｂを元竿２の竿尻端内に挿入すると、突起部３ｄがガイド溝２ｂに嵌り込み元竿２と石突き３との周方向での相対回転が規制される。前記したように、突起部３ｄがガイド溝２ｂに入り込んだ状態で、石突き３の凹入溝３ａがリールシート１の取付向きと同じ方向に取り付けられてなければならない。
【００１７】
ここで、図示はしていないが、元竿２の竿尻端に形成するネジ部２ａと石突き３の接合ロッド部３Ｂに形成するネジ部３ｃとを一体形成する方法について説明する。
（第１方法）
前記した石突き３の接合ロッド部３Ｂを元竿２の竿尻端部内に装着した状態で、接合ロッド部３Ｂのネジ刻設予定箇所と元竿２のネジ刻設予定箇所とに亘って一連でネジ加工を行うことによって、元竿側のネジ部２ａと石突き側のネジ部３ｃとを形成する。
（第２方法）
元竿２や石突き３とは別体である金属製の筒状体を用意し、この筒状体の外周面にネジ部を形成するとともに、ネジを刻設した筒状体をニ分割し、一方の分割筒状体を元竿２の竿尻端に外嵌してネジ部２ａを形成するとともに、他方の分割筒状体を石突き３の接合ロッド部３Ｂの基端部に外嵌してネジ部３ｃを形成する。
（第３方法）
元竿２の竿尻端部にネジ部２ａを刻設し、そのネジ部２ａを中間位置で切断し、その切断して分離した部分を石突き３の接合ロッド部３Ｂの基端部に外嵌固定して、接合ロッド部３Ｂのネジ部３ｃを形成する。
【００１８】
石突き３の材質としては、ＰＢＴ樹脂やＡＢＳ樹脂等の合成樹脂や、ステンレス、アルミ等の金属が使用可能であるが、ここでは天然木が使用されている。
元竿２は通常の方法で形成されるものであり、炭素繊維等の強化繊維を引き揃えたものに、エポキシ等の熱硬化性樹脂を含浸させて形成したプリプレグを所定パターンに裁断する。その裁断したシート状プリプレグをマンドレルに巻回して焼成し、焼成後所定長さに切断して形成される。
【００１９】
〔別実施形態〕
石突き３と元竿２との周方向での相対回転を阻止する機構を設けることはかならずしも必要ではない。
【図面の簡単な説明】
【００２０】
【図１】釣り竿の元竿部分を示す側面図
【図２】元竿に石突きを取り付けた状態を示す縦断側面図
【図３】石突きを元竿に取り付ける前の状態を示す分解縦断側面図
【図４】石突きを元竿に取り付ける前の状態を示す分解斜視図
【符号の説明】
【００２１】
２            元竿
２ａ、３ｃ    ネジ部
３            石突き
３Ｂ          内嵌部
５            ナット部材
【図１】
2006223148.tif 000003
【図２】
2006223148.tif 000004
【図３】
2006223148.tif 000005
【図４】
2006223148.tif 000006